(57)【要約】      （修正有）【課題】現金自動取引装置の保守において使い勝手を向上させる。【解決手段】現金自動取引装置１は、所定の空間を内部に具え、少なくとも一側面に開口部が形成された筐体２と、紙幣を収納する収納庫１２Ａ〜１２Ｅを格納し、筐体２内に収納可能であると共に開口部を介して筐体２の外部に引出方向に沿って引き出し可能に設けられたユニット筐体１８と、ユニット筐体１８における引出方向の先端側のユニット筐体前面板の前側において当該ユニット筐体１８に対し着脱可能に構成され、紙幣を収納するリジェクト庫１３を格納するリジェクト庫格納容器３０とを設けるようにした。【選択図】図３
2014112296.tif 000002
【特許請求の範囲】
【請求項１】
所定の空間を内部に具え、少なくとも一側面に開口部が形成された筐体と、
媒体を収納する第１収納庫を格納し、上記筐体内に収納可能であると共に上記開口部を介して上記筐体の外部に引出方向に沿って引き出し可能に設けられた引出と、
上記引出における引出方向の先端側において当該引出に対し着脱可能に構成され、媒体を収納する媒体収納部と
を有する媒体処理装置。
【請求項２】
上記筐体における引出方向の先端側の側面には、上記媒体収納部と対向する位置に孔が設けられ、
上記媒体収納部には、上記孔と対向する位置に、当該孔と掛止可能な引掛け部が形成され、当該引掛け部が当該孔に掛止することにより、当該媒体収納部が上記引出に取り付けられる
請求項１に記載の媒体処理装置。
【請求項３】
上記引掛け部は、上記媒体収納部において上記引出と対向する側面から、当該引出に向かって延び後端が下方へ屈曲する形状でなり、上記媒体収納部が、上記引出に対し上方へ移動された後に引出方向に沿って移動されることにより、上記媒体収納部が上記引出から取り外される
請求項２に記載の媒体処理装置。
【請求項４】
上記媒体収納部は、少なくとも一側面に開口部が形成され、内部に媒体を収納する第２収納庫を当該開口部を介し着脱可能に格納する収納庫格納容器である
請求項３に記載の媒体処理装置。
【請求項５】
上記媒体収納部は、内部に媒体を収納する第２収納庫である
請求項３に記載の媒体処理装置。
【請求項６】
上記媒体収納部は、上記第１収納庫とは異なる媒体を収納する
請求項３に記載の媒体処理装置。
【請求項７】
上記媒体収納部は、取引すべきでないと鑑別されたリジェクト紙幣を収納する
請求項６に記載の媒体処理装置。
【発明の詳細な説明】
【技術分野】
【０００１】
本発明は、媒体処理装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、例えば顧客に紙幣や硬貨等の現金を入金させ、また顧客へ現金を出金するようになされている。
【０００３】
現金自動取引装置としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する収納庫と、取引すべきでないと鑑別部により鑑別されたリジェクト紙幣を格納するリジェクト庫を有するものが提案されている。
【０００４】
現金自動取引装置は、複数の収納庫が収納されるユニット筐体が現金自動取引装置全体の強固な筐体内に設けられており、収納庫に収納している紙幣等を保護するようになされている。その一方で現金自動取引装置は、各部の保守作業等が行われる際には、金融機関の行員や保守作業者等に内部へアクセスさせる必要がある。
【０００５】
そこで現金自動取引装置のなかには、筐体の前面や背面を開閉可能な扉により構成すると共に、当該扉を開いた状態でユニット筐体を所定のスライド機構等により外部へ引き出し得るように構成されたものが提案されている（例えば、特許文献１参照）。
【０００６】
図１４に示す現金自動取引装置４０１には、ユニット筐体４１８内に複数の収納庫１２Ａ〜１２Ｅが前後方向に並んで配置されていると共に、最前部にリジェクト庫４１３が配置されている。
【０００７】
ユニット筐体４１８に収納された収納庫１２Ａ〜１２Ｅを取り出す際、行員は筐体２の前面扉２Ａを開け、図１５に示すようにユニット筐体４１８を前面に引き出し、外部に露出した所定の収納庫１２Ａ〜１２Ｅをユニット筐体４１８から取り外す。
【先行技術文献】
【特許文献】
【０００８】
【特許文献１】実公平６−３１５７１号公報（第１図）
【発明の概要】
【発明が解決しようとする課題】
【０００９】
このような現金自動取引装置においては、前面にユニット筐体を引き出す広い空間を確保する必要があるため、現金自動取引装置が設置された前方の面積が狭い場合、ユニット筐体の全てを手前まで引き出すことが困難な場合があった。
【００１０】
そのような場合、特に後側に配置されている収納庫の着脱がし難く、使い勝手が低くなってしまうおそれがあった。
【００１１】
本発明は以上の点を考慮してなされたもので、使い勝手を向上し得る媒体処理装置を提案しようとするものである。
【課題を解決するための手段】
【００１２】
かかる課題を解決するため本発明の媒体処理装置においては、所定の空間を内部に具え、少なくとも一側面に開口部が形成された筐体と、媒体を収納する第１収納庫を格納し、筐体内に収納可能であると共に開口部を介して筐体の外部に引出方向に沿って引き出し可能に設けられた引出と、記引出における引出方向の先端側において当該引出に対し着脱可能に構成され、媒体を収納する媒体収納部とを設けるようにした。
【００１３】
これにより、引出を筐体から引き出した際、引出から媒体収納部を取り外すことにより、筐体の前方に必要な空間を削減することができる。
【発明の効果】
【００１４】
本発明によれば、引出を筐体から引き出した際、引出から媒体収納部を取り外すことにより、筐体の前方に必要な空間を削減することができる。かくして本発明は、使い勝手を向上し得る媒体処理装置を実現できる。
【図面の簡単な説明】
【００１５】
【図１】現金自動取引装置の外観構成を示す斜視図である。
【図２】第１の実施の形態による収納状態の現金自動取引装置の内部構成を示す右側面図である。
【図３】第１の実施の形態による引出状態の現金自動取引装置の内部構成を示す右側面図である。
【図４】第１の実施の形態による取外状態の現金自動取引装置の内部構成を示す右側面図である。
【図５】第１の実施の形態によるユニット筐体及びリジェクト庫格納容器の構成を示し、（Ａ）は右側面図、（Ｂ）は正面図である。
【図６】第１の実施の形態による引掛け部及びスリット孔の構成を示す右側面図である。
【図７】第１の実施の形態による引掛け部とスリット孔との嵌合の様子を示す右側面図である。
【図８】第１の実施の形態によるすり割り部と摘み部付ネジとの嵌合の様子を示す正面図である。
【図９】第１の実施の形態によるリジェクト庫格納容器及びリジェクト庫の構成を示す斜視図である。
【図１０】第１の実施の形態によるロック部とリジェクト庫孔との嵌合の様子を示す背面図である。
【図１１】第２の実施の形態によるユニット筐体及びリジェクト庫の構成を示し、（Ａ）は右側面図、（Ｂ）は正面図である。
【図１２】他の実施の形態によるユニット筐体及びリジェクト庫の構成（１）を示す右側面図である。
【図１３】他の実施の形態によるユニット筐体及びリジェクト庫の構成（２）を示す右側面図である。
【図１４】従来の現金自動取引装置における収納状態の内部構成を示す右側面図である。
【図１５】従来の現金自動取引装置における引出状態の内部構成を示す右側面図である。
【発明を実施するための形態】
【００１６】
以下、発明を実施するための形態（以下実施の形態とする）について、図面を用いて説明する。
【００１７】
［１．第１の実施の形態］
［１−１．現金自動取引装置の外観構成］
図１に示すように、現金自動取引装置１は金融機関の行員（例えば受付窓口員）が操作する行員操作型端末であり、行員の操作に基づいて紙幣の入出金処理を行うようになされている。
【００１８】
この現金自動取引装置１は、箱型の筐体２の上端部に、入金部３の投入口３Ａ、出金部４の排出口４Ａ、表示部５及び操作部６が設けられている。
【００１９】
この筐体２は、前面側の側面に開閉可能な前面扉２Ａが設けられている。筐体２は、行員との間で現金に関する取引を行う取引動作時には、各扉を閉塞することにより、現金自動取引装置１に収納している紙幣を保護する。一方筐体２は、保守作業者等が保守作業を行う保守作業時には、必要に応じて前面扉２Ａを開放することにより、内部の各部に対する作業を容易に行わせ得るようになされている。
【００２０】
入金部３は、行員により投入口３Ａから入金紙幣が投入されると、これを１枚ずつ分離して現金自動取引装置１内に取り込んでいくようになされている。
【００２１】
出金部４は、出金紙幣を集積して、これを排出口４Ａから行員に取り出させるようになされている。またこの出金部４には、排出口４Ａを開閉するシャッタ（図示せず）が設けられ、紙幣の排出時に開くようになっている。
【００２２】
表示部５は液晶ディスプレイにより構成され、メニュー画面、各種処理の結果画面等を表示する。操作部６は押しボタンにより構成され、現金自動取引装置１に対する操作を受け付ける。
【００２３】
さらにこの現金自動取引装置１は、図示していないが、ネットワークを介して金融機関の端末やホストコンピュータと通信でき、端末やホストコンピュータとの間で各種情報を送受したり、端末側から操作したりできるようにもなされている。
【００２４】
［１−２．現金自動取引装置の内部構成］
図２に示すように、現金自動取引装置１は、上側には上述した入金部３、出金部４に加えて、鑑別部１０及び一時保留部１１が設けられている。
【００２５】
現金自動取引装置１の下側には、紙幣収納部１５が設けられている。紙幣収納部１５は、収納庫１２Ａ〜１２Ｅを収納するユニット筐体１８と、当該ユニット筐体１８の前面の外側に設けられたリジェクト庫格納容器３０に格納されたリジェクト庫１３とから構成されている。
【００２６】
さらに筐体２内には、これら入金部３、出金部４、鑑別部１０、一時保留部１１、収納庫１２Ａ〜１２Ｅ、リジェクト庫１３の各部を繋ぐ搬送路１４が設けられている。
【００２７】
入金部３は、上面が開口する箱型の収納部３Ｂを有している。この収納部３Ｂの開口の一部が上述した投入口３Ａとなる。この入金部３は、入金取引時に、投入口３Ａから収納部３Ｂ内に投入された入金紙幣を１枚ずつ分離して現金自動取引装置１内に取り込んでいく。
【００２８】
出金部４は、上面が開口する箱型の集積部４Ｂを有している。この集積部４Ｂの開口が上述した排出口４Ａとなる。この出金部４は、出金取引時に、収納庫１２Ａ〜１２Ｅ等から搬送されてくる出金紙幣を集積部４Ｂに集積する。
【００２９】
また出金部４には、排出口４Ａを開閉するシャッタ（図示せず）が設けられている。このシャッタは、出金紙幣が集積部４Ｂに集積された後に開くようになっており、このシャッタが開くことで、行員が集積部４Ｂに集積されている出金紙幣を排出口４Ａから取り出すことができるようになされている。
【００３０】
これら入金部３及び出金部４は、下端部より上端部が前方に位置するよう前方に傾いた状態で固定されている。
【００３１】
鑑別部１０は、搬送路１４を介して１枚ずつ搬送されてくる紙幣の金種、真偽、正損、走行状態等を鑑別する。この鑑別部１０は、取り扱うことのできる正常紙幣か取り扱うことのできないリジェクト紙幣かをその鑑別結果に基づいて紙幣毎に判定する。
【００３２】
一時保留部１１は、入金部３から取り込まれ鑑別部１０により正常紙幣と判定された紙幣を一時的に集積する。一時保留部１１に集積された紙幣は、取引成立後に一時保留部１１から繰り出されて鑑別部１０に搬送され、鑑別部１０により金種が特定された後、収納庫１２Ａ〜１２Ｅに搬送され収納される。
【００３３】
ユニット筐体１８は、所定の厚みを有する強固な板金又は成形品で箱型に形成されており、内部には紙幣の金種別に用意された複数の収納庫１２Ａ〜１２Ｅが前後方向に並んで配置されている。
【００３４】
収納庫１２Ａ〜１２Ｅは、それぞれ、紙幣を金種毎に収納可能な縦長の内部空間を有し、搬送路１４を介して搬送されてくる紙幣を内部に上下方向に重ねて集積する。
【００３５】
また収納庫１２Ａ〜１２Ｅは、紙幣を収納するだけでなく、内部に集積されている紙幣を１枚ずつ搬送路１４に繰り出すことができるようにもなされている。さらに収納庫１２Ａ〜１２Ｅは、上方向に引き抜かれることによりそれぞれ個別にユニット筐体１８から着脱可能な着脱式となっている。
【００３６】
またユニット筐体１８の前面の側壁であるユニット筐体前面板１８Ｆには、引出レバー２０が取り付けられている。行員はこの引出レバー２０を把持して手前に引くことにより、筐体２からユニット筐体１８を引き出すことができる。
【００３７】
リジェクト庫格納容器３０は、ユニット筐体１８から着脱可能な着脱式となっている。リジェクト庫格納容器３０には、鑑別部１０によってリジェクト紙幣と判定された紙幣を集積するリジェクト庫１３が格納されている。
【００３８】
ところでユニット筐体１８は、図示しないスライドレールを介して筐体２に取り付けられている。このスライドレールは、前後方向に延長されたレール状の部品や複数のローラ等の組み合わせにより構成されており、筐体２に対しユニット筐体１８を前方向又は後方向へ直線的に且つ円滑に移動させるようになされている。
【００３９】
またスライドレールは、筐体２に対するユニット筐体１８の移動範囲を規定しており、図２及び図３に示した位置の間で当該ユニット筐体１８を移動させる。
【００４０】
現金自動取引装置１は、入出金処理が行われる場合、図２に示したようにユニット筐体１８を筐体２の内部に収納することにより、当該ユニット筐体１８内の収納庫１２に収納された紙幣等を保護する。以下これをユニット筐体１８の収納状態と呼ぶ。
【００４１】
一方現金自動取引装置１は、紙幣の補充又は回収が行われる場合、前面扉２Ａを開放し、筐体２の内部空間と外部とを挿通する開口部から図３に示したようにユニット筐体１８を前方向へ移動させて、当該ユニット筐体１８のほぼ全体を筐体２の外部に引き出した状態とする。
【００４２】
以下では、ユニット筐体１８が筐体２からほぼ全体が引き出されているか否かに拘わらず、当該ユニット筐体１８が収納状態の位置から前側に引き出された状態を引出状態と呼ぶ。
【００４３】
このときリジェクト庫格納容器３０は、ユニット筐体１８に取り付けられた状態において当該ユニット筐体１８と共に筐体２から引き出される。
【００４４】
現金自動取引装置１の前面に十分なスペースがある場合、行員はリジェクト庫格納容器３０をユニット筐体１８から取り外さずに、当該ユニット筐体１８のほぼ全体を筐体２の外部に引き出し、所定の収納庫１２Ａ〜１２Ｅをユニット筐体１８から取り外して紙幣の回収又は補充を行う。
【００４５】
一方現金自動取引装置１の前面に十分なスペースがない場合、行員はユニット筐体１８を筐体２の外部に僅かに引き出し、リジェクト庫格納容器３０をユニット筐体１８から取り外す。続いて行員は図４に示すようにユニット筐体１８のほぼ全体を筐体２の外部に引き出し、所定の収納庫１２Ａ〜１２Ｅをユニット筐体１８から取り外して紙幣の回収又は補充を行う。
【００４６】
以下では、ユニット筐体１８からリジェクト庫格納容器３０が取り外された状態を取外状態と呼ぶ。
【００４７】
かかる構成において現金自動取引装置１は、鑑別部１０による紙幣の鑑別結果等をもとに制御部が各部を制御して、紙幣の入金処理及び出金処理を行う。
【００４８】
すなわち現金自動取引装置１は、入金取引時、行員により操作部６を介して入金取引が選択され、さらに投入口３Ａから入金部３に紙幣が投入されると、投入された紙幣を１枚ずつ鑑別部１０に搬送する。
【００４９】
ここで現金自動取引装置１は、鑑別部１０により正常紙幣と判定された紙幣については一時保留部１１に搬送して一時的に収納する。一方で現金自動取引装置１は、入金に適さない入金リジェクト紙幣と判定された紙幣については出金部４へ戻して、シャッタを開くことで行員に返却する。
【００５０】
その後行員により入金金額が確定されると、現金自動取引装置１は一時保留部１１に収納している紙幣を鑑別部１０に搬送して金種を鑑別し、その金種に応じて、各収納庫１２Ａ〜１２Ｅへ搬送して保管する。
【００５１】
一方出金取引時、現金自動取引装置１は、行員により操作部６を介して出金取引が選択され出金金額が入力されると、要求金額に応じて必要な金種毎の紙幣枚数を認識し、この金種毎の紙幣枚数に応じて各収納庫１２Ａ〜１２Ｅから紙幣を１枚ずつ繰り出して、鑑別部１０に搬送する。
【００５２】
ここで現金自動取引装置１は、鑑別部１０により正常紙幣と判定された紙幣については出金部４に搬送する一方で、出金に適さない出金リジェクト紙幣と判定された紙幣については一時保留部１１に搬送して一時的に収納する。
【００５３】
そして要求金額分の紙幣が出金部４へ集積されると、現金自動取引装置１は、シャッタを開ける。これにより出金部４内に集積されている紙幣の受け取りが可能な状態となり、行員がこの紙幣を受け取る。
【００５４】
その後現金自動取引装置１は、一時保留部１１に収納している出金リジェクト紙幣をリジェクト庫１３へと搬送して保管する。
【００５５】
このように現金自動取引装置１は、紙幣の入金処理及び出金処理を行うようになされている。
【００５６】
［１−３．ユニット筐体及びリジェクト庫格納容器の構成］
図５に示すようにリジェクト庫格納容器３０は、屈曲され溶接された１枚の鉄板により上方及び後方が開口する箱型に形成されている。なお説明の都合上、後述するロック部４６は図５及び図８において図示せず省略している。
【００５７】
リジェクト庫格納容器３０は、前面板である格納容器前面板３０Ｆと、底板である格納容器底板３０Ｂと、右側面板である格納容器右側板３０Ｒと、左側面板である格納容器左側板３０Ｌと、ユニット筐体前面板１８Ｆとにより内部に所定の空間を形成している。
【００５８】
また格納容器前面板３０Ｆ及びユニット筐体前面板１８Ｆはリジェクト庫１３の前後方向の移動を、格納容器右側板３０Ｒ及び格納容器左側板３０Ｌはリジェクト庫１３の左右方向の移動をそれぞれ規制している。
【００５９】
この格納容器右側板３０Ｒ及び格納容器左側板３０Ｌの上端部はそれぞれ右側及び左側に屈曲された後に下側へ屈曲された形状となっていることにより、鉄板の切断面が上端部に露出することを防止している。
【００６０】
また格納容器底板３０Ｂを形成している鉄板の左側端部及び右側端部は、上方に屈曲され、それぞれ格納容器左側板３０Ｌ及び格納容器右側板３０Ｒの外壁面に溶接されている。
【００６１】
この格納容器底板３０Ｂには、後端部において下方向に屈曲する格納容器下部縦板３０ＢＶが形成されている。
【００６２】
リジェクト庫格納容器３０内にはリジェクト庫１３が格納されている。このリジェクト庫１３は箱型に形成され、リジェクト紙幣を内部に収納している。
【００６３】
またリジェクト庫１３の上部分には持ち手３２が設けられており、行員が当該持ち手３２を把持することにより、リジェクト庫格納容器３０の上面の開口を介してリジェクト庫格納容器３０に対しリジェクト庫１３を着脱することができるようになされている。
【００６４】
格納容器左側板３０Ｌ及び格納容器右側板３０Ｒの上寄りの後端部からは、Ｌ字形状（鉤形状）の引掛け部３４が後方に向かって形成されている。図６に示すように、この引掛け部３４は後方に延びた後に下方へ屈曲する掛止部３５が形成されている。
【００６５】
格納容器右側板３０Ｒ及び格納容器左側板３０Ｌの後端部には、引掛け部３４の下方において、後方へ突出する当接部３３が形成されている。
【００６６】
またユニット筐体前面板１８Ｆには、リジェクト庫格納容器３０の引掛け部３４と対向する位置に、ユニット筐体前面板１８Ｆの前方と後方（すなわちユニット筐体１８の外部と内部）とを挿通するスリット孔３６が上下方向に沿って穿設している。
【００６７】
スリット孔３６の上下の長さＤは、引掛け部３４の上下の長さｄよりも長く形成されている。これにより現金自動取引装置１は、引掛け部３４をスリット孔３６に後ろ方向に沿って嵌め込むことができる。
【００６８】
また、引掛け部３４の掛止部３５と当接部３３の後端面との前後方向の隙間である引掛け部隙間ｔは、ユニット筐体前面板１８Ｆの板厚Ｔよりも僅かに大きく形成されている。
【００６９】
ここで、板厚Ｔに対し引掛け部隙間ｔが大きすぎると、ユニット筐体１８にリジェクト庫格納容器３０を取り付けた際、ユニット筐体１８に対しリジェクト庫格納容器３０がガタついてしまう。この状態で行員がリジェクト庫格納容器３０に不意に接触してしまい、ユニット筐体１８に対してリジェクト庫格納容器３０の位置が所定の位置からずれてしまった場合、ユニット筐体１８の収納状態においてリジェクト庫１３に紙幣を搬送する際ジャムが発生してしまう可能性がある。
【００７０】
一方板厚Ｔに対し引掛け部隙間ｔが小さいと、ユニット筐体１８にリジェクト庫格納容器３０を嵌め込むことができない。
【００７１】
これに対し現金自動取引装置１においては、板厚Ｔよりも引掛け部隙間ｔを僅かに大きく構成することにより、組み立て不良を防ぎつつ、ユニット筐体１８に対するリジェクト庫格納容器３０のガタつきを防ぐようにした。
【００７２】
また現金自動取引装置１は、格納容器右側板３０Ｒ及び格納容器左側板３０Ｌの後端部における引掛け部３４の下方全域をユニット筐体前面板１８Ｆに当接させずに、当接部３３のみを当接させるようにした。これにより、寸法公差を保つ箇所が狭くて済むため、加工を容易に行うことができる。
【００７３】
格納容器下部縦板３０ＢＶ（図５）の下端の左右方向中央部には、下端から上方へ向かって切り欠かれたすり割り部３８が形成されている。
【００７４】
ユニット筐体前面板１８Ｆには、リジェクト庫格納容器３０が取り付けられた状態ですり割り部３８と対向する位置に、ユニット筐体前面板１８Ｆの前方と後方（すなわちユニット筐体１８の外部と内部）とを挿通する正面視円形のネジ孔４０が穿設し、当該ネジ孔４０にはリジェクト庫格納容器３０とユニット筐体１８とを締結可能な摘み部付ネジ４２が螺合している。
【００７５】
摘み部付ネジ４２は、ユニット筐体前面板１８Ｆを前方から後方へ貫通するネジ部４２Ａと、当該ネジ部４２Ａの前方に設けられ作業者が指で摘み易いようネジ部４２Ａよりも直径が大きく形成された摘み部４２Ｂとが形成されている。ネジ部４２Ａは、板厚Ｔよりも十分に長い前後方向の長さを有している。
【００７６】
かかる構成において、ユニット筐体１８にリジェクト庫格納容器３０を取り付ける場合、図７に示すように、図７（Ａ）の状態からリジェクト庫格納容器３０の引掛け部３４をユニット筐体１８のスリット孔３６に水平方向に沿って挿入し、掛止部３５がスリット孔３６に入りきった位置（図７（Ｂ））でリジェクト庫格納容器３０を垂直方向に沿って下げる（図７（Ｃ））ことにより、引掛け部３４がスリット孔３６に嵌合する。
【００７７】
このとき図８（Ａ）及び図８（Ｂ）に示すように摘み部付ネジ４２がすり割り部３８に嵌り込むことによりリジェクト庫格納容器３０がユニット筐体１８に対し所定の位置でセットされる。
【００７８】
続いて行員は摘み部４２Ｂを締め付ける方向へひねることにより、当該摘み部４２Ｂとユニット筐体前面板１８Ｆとで格納容器下部縦板３０ＢＶを挟み込むことにより、リジェクト庫格納容器３０をユニット筐体１８に固定する。
【００７９】
一方ユニット筐体１８からリジェクト庫格納容器３０を取り外す際、まず行員はリジェクト庫格納容器３０が取り付けられたユニット筐体１８を筐体２から前面に引き出す。
【００８０】
続いて行員は摘み部４２Ｂを緩む方向へひねり、リジェクト庫格納容器３０を垂直方向に沿って持ち上げ（図７（Ｂ））、スリット孔３６から引掛け部３４を水平方向にひっぱり出す（図７（Ａ））ことにより、リジェクト庫格納容器３０をユニット筐体１８から取り外す。
【００８１】
このとき、ネジ部４２Ａがユニット筐体前面板１８Ｆの板厚Ｔよりも十分に長い前後方向の長さを有しているため、摘み部付ネジ４２がユニット筐体前面板１８Ｆから容易には外れないようになされている。
【００８２】
［１−４．リジェクト庫格納容器及びリジェクト庫の構成］
図９に示すように、格納容器左側板３０Ｌには、リジェクト庫格納容器３０に対しリジェクト庫１３を着脱可能に構成するロック部４６が設けられている。
【００８３】
ロック部４６は主に、リジェクト庫１３に掛止する掛止部材４８と、当該掛止部材４８を可動させる駆動部材５０とにより形成されている。
【００８４】
掛止部材４８は正面視Ｌ字形状であり、上端部に形成された鉤形状の爪部５２と、下端部において左側に向かって延びる操作部５４とにより構成されている。また爪部５２の右側上部分には、上方から下方に向かって左から右へ傾斜する摺動面５６が形成されている。また駆動部材５０は、シャフト５８及びスプリング６０により構成されている。
【００８５】
格納容器左側板３０Ｌには、爪部５２と対向する位置に、格納容器左側板３０Ｌの左側と右側（すなわちリジェクト庫格納容器３０の外部と内部）とを挿通する側面視長方形状のロック部孔６２が穿設している。
【００８６】
掛止部材４８の下端部の右端には、前後方向に沿って延び前端及び後端が格納容器左側板３０Ｌに固定された円筒形状のシャフト５８が貫通している。これにより掛止部材４８は、シャフト５８を支点として回動可能に構成されている。
【００８７】
シャフト５８には、掛止部材４８の後側にトーションスプリングでなるスプリング６０が嵌め込まれている。このスプリング６０は、１本の金属棒の中央部分である巻装部６０Ｃがシャフト５８に巻装し、当該巻装部６０Ｃから下腕部６０Ｌが下方向へ延び、上腕部６０Ｕが上方向へ延びた後に前方へ屈曲している。
【００８８】
スプリング６０は、上腕部６０Ｕの上端部及び下腕部６０Ｌの下端部が自然状態よりも左側に位置する状態で、それぞれ掛止部材４８と格納容器左側板３０Ｌとに当接している。
【００８９】
このためスプリング６０は、自然状態に戻ろうとする反発力により、爪部５２に対しロック部孔６２に入り込む方向へ付勢力を加える。
【００９０】
一方リジェクト庫１３の左側面板であるリジェクト庫左側板１３Ｌには、リジェクト庫格納容器３０のロック部孔６２と対向する位置に、リジェクト庫左側板１３Ｌの左側と右側（すなわちリジェクト庫１３の外部と内部）とを挿通する側面視長方形状のリジェクト庫孔６４が穿設している。
【００９１】
このためリジェクト庫１３がリジェクト庫格納容器３０に収納された状態においては、爪部５２がロック部孔６２を挿通しリジェクト庫孔６４に掛止することにより、リジェクト庫１３をリジェクト庫格納容器３０内部にロックしている。
【００９２】
かかる構成においてリジェクト庫格納容器３０にリジェクト庫１３を格納する際、行員がリジェクト庫１３の持ち手３２を持って図１０（Ａ）に示すようにリジェクト庫格納容器３０の上方からリジェクト庫１３を挿入すると、爪部５２の摺動面５６にリジェクト庫左側板１３Ｌが当接する。
【００９３】
さらにリジェクト庫１３が下ろされると、掛止部材４８は摺動面５６をリジェクト庫左側板１３Ｌに摺動させつつ図１０（Ｂ）に示すようにシャフト５８を中心に時計回りに回動する。
【００９４】
このときスプリング６０は、下腕部６０Ｌが格納容器左側板３０Ｌに当接しそれ以上の時計回りの回転が規制され、自然状態に戻ろうとする反発力により、爪部５２に対し反時計回り（ロック部孔６２に入り込む方向）へ付勢力を加える。
【００９５】
続いてリジェクト庫孔６４がロック部孔６２と対向する位置まで行員がリジェクト庫１３を下ろすと、図１０（Ｃ）に示すように掛止部材４８が反時計回りに回動し、爪部５２がリジェクト庫孔６４に掛止することにより、リジェクト庫１３がリジェクト庫格納容器３０に所定の位置でセットされる。
【００９６】
一方リジェクト庫収納容器３０からリジェクト庫１３を取り外す際、行員が操作部５４を下方向に向かって押すと、ロック部４６はシャフト５８を中心に図１０中時計回りに回動することにより、リジェクト庫孔６４から爪部５２の掛止が外れる。
【００９７】
この状態で行員がリジェクト庫格納容器３０の上方からリジェクト庫１３の持ち手３２を持って引き上げることにより、当該リジェクト庫１３はリジェクト庫格納容器３０から取り外される。
【００９８】
ところで、リジェクト庫１３がリジェクト庫格納容器３０に格納されてロックされ、当該リジェクト庫格納容器３０が引出状態のユニット筐体に取り付けられた状態において、行員がリジェクト庫１３を引き上げると、リジェクト庫１３と共にリジェクト庫格納容器３０が持ち上がることにより、図７（Ｂ）に示したように、ユニット筐体前面板１８Ｆに対する掛止部３５の掛止が外れる。
【００９９】
その状態で行員がリジェクト庫１３を前方に移動させると、当該リジェクト庫１３と共にリジェクト庫格納容器３０が前方に移動することにより、図７（Ａ）に示したように引掛け部３４がスリット孔３６から外れる。
【０１００】
これにより行員は、リジェクト庫格納容器３０にロックされたリジェクト庫１３を操作するだけで、リジェクト庫１３とリジェクト庫格納容器３０とを一緒にユニット筐体１８から取り外すことができる。
【０１０１】
［１−５．動作及び効果］
以上の構成において、現金自動取引装置１は、リジェクト庫格納容器３０をユニット筐体１８の前面に対し着脱可能に設けるようにした。
【０１０２】
このため、設置された現金自動取引装置１の前面の面積に制限がある場合、行員がリジェクト庫格納容器３０をユニット筐体１８から取り外すことにより、紙幣収納部１５の前後方向の長さを短くすることができるため、筐体２からユニット筐体１８をほぼ全て前面に引き出すことができる。
【０１０３】
これにより現金自動取引装置１は、特にユニット筐体１８の奥側に配置されている収納庫１２を容易に当該ユニット筐体１８から取り出すことができる。
【０１０４】
また、スリット孔３６に引掛け部３４を掛止し摘み部付ネジ４２で締め付けるという簡易な構成とすることにより、行員はドライバー等の工具を要することなくユニット筐体１８に対しリジェクト庫格納容器３０を容易に着脱させることができる。
【０１０５】
また、リジェクト庫孔６４に掛止部材４８を掛止するという簡易な構成とすることにより、行員はドライバー等の工具を要することなくリジェクト庫格納容器３０に対しリジェクト庫１３を容易に着脱させることができる。
【０１０６】
ところで例えば、ユニット筐体の前後方向の中間部の左右何れかに蝶番を設け、当該蝶番を支点にしてユニット筐体を２つに分割して回動させることにより、ユニット筐体の前後方向の長さを短くすることも考えられる。
【０１０７】
しかしながらその場合、非常に重量のあるユニット筐体を分割して回動させるために、ユニット筐体の分割された前部分の下方にキャスタを設けるなど、構造が複雑化してしまうと共に、重たいユニット筐体の前部分を回動させるという作業が必要になってしまう。
【０１０８】
これに対し本実施の形態による現金自動取引装置１においては、リジェクト庫格納容器３０をユニット筐体１８に掛止させるという簡易な構成において、ユニット筐体１８からリジェクト庫格納容器３０を取り外すという極めて簡易な作業で紙幣収納部１５の前後方向の長さを短くすることができる。
【０１０９】
以上の構成によれば、現金自動取引装置１は、所定の空間を内部に具え、少なくとも一側面に開口部が形成された筐体２と、紙幣を収納する収納庫１２Ａ〜１２Ｅを格納し、筐体２内に収納可能であると共に開口部を介して筐体２の外部に引出方向に沿って引き出し可能に設けられたユニット筐体１８と、ユニット筐体１８における引出方向の先端側のユニット筐体前面板１８Ｆの前側において当該ユニット筐体１８に対し着脱可能に構成され、紙幣を収納するリジェクト庫１３を格納するリジェクト庫格納容器３０とを設けるようにした。
【０１１０】
これにより現金自動取引装置１は、ユニット筐体１８を筐体２から引き出した際、当該ユニット筐体１８からリジェクト庫格納容器３０を取り外すことにより、筐体２の前方に必要な空間を削減することができる。
【０１１１】
［２．第２の実施の形態］
第２の実施の形態による現金自動取引装置１０１は、第１の実施の形態による現金自動取引装置１と比べて、図５との対応部分に同一符号を付した図１１に示すように、リジェクト庫１１３がリジェクト庫１３と異なっているものの、それ以外は同様に構成されている。
【０１１２】
また第２の実施の形態による現金自動取引装置１０１は、リジェクト庫格納容器３０が省略され、リジェクト庫１１３が直接ユニット筐体１８に着脱可能に設けられている。
【０１１３】
リジェクト庫１１３のリジェクト庫左側板１１３Ｌ及びリジェクト庫右側板１１３Ｒの上寄りの後端部からは、ユニット筐体前面板１８Ｆのスリット孔３６と対向する位置において、Ｌ字形状（鉤形状）の引掛け部１３４が後方に向かって形成されている。
【０１１４】
かかる構成において、ユニット筐体１８にリジェクト庫１１３を取り付ける場合、引掛け部１３４をスリット孔３６に水平方向に沿って挿入した後にリジェクト庫１１３を垂直方向に沿って下げることにより、引掛け部１３４がスリット孔３６に嵌合する。
【０１１５】
一方ユニット筐体１８からリジェクト庫１１３を取り外す際、まず行員はリジェクト庫１１３が取り付けられたユニット筐体１８を筐体２から前面に引き出す。
【０１１６】
続いて行員はリジェクト庫１１３を垂直方向に沿って持ち上げた後に前方向に引くことによりスリット孔３６から引掛け部１３４を外し、リジェクト庫１１３をユニット筐体１８から取り外す。
【０１１７】
このように現金自動取引装置１０１は、現金自動取引装置１と比べてリジェクト庫格納容器３０を無くすようにしたため、より簡易な構成にすることができる。
【０１１８】
［３．他の実施の形態］
なお上述した第１の実施の形態においては、ユニット筐体１８の前面に設けられたリジェクト庫格納容器３０に１個のリジェクト庫１３を格納する場合について述べた。
【０１１９】
本発明はこれに限らず、図１２に示すように、リジェクト庫格納容器３０（図５）よりも前後方向の長さが長いリジェクト庫格納容器２３０に対し、２個のリジェクト庫１３Ａ及び１３Ｂを前後方向に並べて格納しても良い。また、３個以上リジェクト庫を格納しても良く、その場合はリジェクト庫格納容器の前後方向の長さを、格納すべき全てのリジェクト庫が格納される長さに設定すれば良い。
【０１２０】
また上述した第２の実施の形態においては、ユニット筐体１８の前面に１個のリジェクト庫１３を着脱可能に設ける場合について述べた。
【０１２１】
本発明はこれに限らず、図１３に示すように、２個のリジェクト庫３１３Ａ及び３１３Ｂをユニット筐体１８の前面に掛止しても良い。また、３個以上の所定個数のリジェクト庫をユニット筐体１８の前面に掛止しても良い。
【０１２２】
この場合、リジェクト庫３１３Ａの前面においてリジェクト庫３１３Ｂの引掛け部３３４Ｂと対向する位置にスリット孔３３６を穿設し、当該引掛け部３３４Ｂをスリット孔３３６に掛止することにより、リジェクト庫３１３Ｂをリジェクト庫３１３Ａに着脱可能に設ければ良い。
【０１２３】
さらに上述した実施の形態においては、リジェクト庫格納容器３０にロックされたリジェクト庫１３を操作するだけで、リジェクト庫格納容器３０をユニット筐体１８から取り外すことができるようにしたが、本発明はこれに限らず、例えば行員がリジェクト庫格納容器３０の格納容器底板３０Ｂを下から持ち上げることにより、当該リジェクト庫格納容器３０をユニット筐体１８から外した後に、リジェクト庫１３をリジェクト庫格納容器３０から取り外すようにしても良い。
【０１２４】
さらに上述した実施の形態においては、リジェクト庫格納容器３０を上方に持ち上げた後に前方へ移動させることにより、リジェクト庫格納容器３０をユニット筐体１８から取り外す場合について述べた。
【０１２５】
本発明はこれに限らず、例えばリジェクト庫格納容器３０をユニット筐体１８に対し上下２箇所にネジ止めする構成にし、リジェクト庫格納容器３０を手前に移動させることによりリジェクト庫格納容器３０をユニット筐体１８から取り外すようにしても良い。
【０１２６】
さらに上述した実施の形態においては、格納容器左側板３０Ｌにロック部４６を設ける場合について述べたが、本発明はこれに限らず、格納容器右側板３０Ｒ等、種々の箇所にロック部４６を設けて良い。
【０１２７】
さらに上述した実施の形態においては、１つのロック部４６をリジェクト庫格納容器３０に設ける場合について述べたが、本発明はこれに限らず、２つ以上の任意の個数のロック部４６を設けても良い。ロック部４６を多く設ければ、リジェクト庫格納容器３０からリジェクト庫１３を挿脱する際に掛かる手間が増えるが、より安定的にリジェクト庫格納容器３０にリジェクト庫１３を固定できる。
【０１２８】
さらに上述した実施の形態においては、Ｌ字形状の引掛け部３４をスリット孔３６に掛止することにより、リジェクト庫格納容器３０をユニット筐体１８に結合させる場合について述べた。本発明はこれに限らず、例えばリジェクト庫格納容器３０とユニット筐体１８とをネジや回転可能な摘み部を有するロック機構で結合する等、種々の機構により結合して良い。
【０１２９】
さらに上述した実施の形態においては、爪部５２を有するロック部４６をリジェクト庫孔６４に掛止することにより、リジェクト庫１３をリジェクト庫格納容器３０に結合させる場合について述べた。本発明はこれに限らず、例えばリジェクト庫１３とリジェクト庫格納容器３０とをネジや回転可能な摘み部を有するロック機構で結合する等、種々の機構により結合して良い。
【０１３０】
さらに上述した実施の形態においては、摘み部付ネジ４２のネジ部４２Ａをユニット筐体前面板１８Ｆの板厚Ｔよりも十分に長い前後方向の長さを有するようにした。本発明はこれに限らず、例えばネジ部４２Ａの後端を抜け止め防止形状にする等、種々の機構により摘み部付ネジ４２をユニット筐体前面板１８Ｆから外れにくくして良い。
【０１３１】
さらに上述した実施の形態においては、複数の収納庫１２を格納するユニット筐体１８から取り外し可能な、リジェクト庫１３が格納されたリジェクト庫格納容器３０に対し本発明を適用する場合について述べた。
【０１３２】
本発明はこれに限らず、現金自動取引装置から引き出される引出に対し取り外し可能に設けられ、出金専用紙幣、入金専用紙幣、補充紙幣、回収紙幣並びにリサイクル紙幣等、種々の用途に用いられる紙幣を収納する収納庫を格納する引出に対し本発明を適用しても良い。
【０１３３】
またユニット筐体に格納されるものは収納庫に限らず、要は、筐体２からユニット筐体１８を引き出されて取り外されるものが格納されていれば良い。
【０１３４】
さらに上述した実施の形態においては、ユニット筐体１８を筐体２の前側へ移動させることにより、その殆どを筐体２の外部へ引き出した引出状態とするようにした場合について述べた。
【０１３５】
本発明はこれに限らず、例えばユニット筐体１８を筐体２の後側へ移動させることにより引出状態とするようにしても良い。
【０１３６】
さらに上述した第１の実施の形態においては、ユニット筐体前面板１８Ｆに引出レバー２０を設ける場合について述べた。本発明はこれに限らず、格納容器前面板３０Ｆに引出レバーを設けても良い。
【０１３７】
その場合、リジェクト庫格納容器３０を介して重量のあるユニット筐体１８を前面に引っ張った際に変形しない程度に当該リジェクト庫格納容器３０の強度を高めれば良い。これにより、引出レバーの位置をより手前側にすることができるので、作業性を向上させることができる。
【０１３８】
さらに上述した第２の実施の形態においては、リジェクト庫前面板１１３Ｆに引出レバーを設けても良い。その場合においても引出レバーの位置をより手前側にすることができるので、作業性を向上させることができる。
【０１３９】
さらに、現金自動取引装置が配置される店舗毎にリジェクト庫１３の大きさを変更することにより、リジェクト紙幣を収納可能な枚数を変更しても良い。その際、リジェクト庫格納容器３０はリジェクト庫１３を格納可能な大きさに形成すれば良い。
【０１４０】
さらに上述した実施の形態においては、紙幣等の現金を取引する現金自動取引装置１において、媒体としての紙幣について搬送処理及び収納処理等の各処理を行うようにした場合について述べた。
【０１４１】
しかしながら本発明はこれに限らず、例えば商品券や金券、入場券等のような薄い紙状の媒体を搬送処理及び収納処理等の各処理を行う種々の装置に適用するようにしても良い。
【０１４２】
さらに上述した実施の形態においては、筐体としての筐体２と、引出としてのユニット筐体１８と、媒体収納部としてのリジェクト庫格納容器３０又はリジェクト庫１３とによって媒体処理装置としての現金自動取引装置１を構成する場合について述べた。
【０１４３】
しかしながら本発明はこれに限らず、その他種々の構成でなる筐体と、引出と、媒体収納部とによって媒体処理装置を構成するようにしても良い。
【産業上の利用可能性】
【０１４４】
本発明は、筐体に収納された状態で所定の処理を実行する一方、筐体から引き出されてその一部又は全部を露出させるような引出機構を有する種々の機器でも利用できる。
【符号の説明】
【０１４５】
１、１０１、４０１……現金自動取引装置、２……筐体、２Ａ……前面扉、３……入金部、４……出金部、５……表示部、６……操作部、１０……鑑別部、１１……一時保留部、１２……収納庫、１３、１１３、３１３、４１３……リジェクト庫、１３Ｌ……リジェクト庫左側板、１３Ｒ……リジェクト庫左側板、１３Ｆ……リジェクト庫前面板、１４……搬送路、１５……紙幣収納部、１８、４１８……ユニット筐体、１８Ｆ……ユニット筐体前面板、２０……引出レバー、３０、２３０……リジェクト庫格納容器、３０Ｆ……格納容器前面板、３０Ｒ……格納容器右側板、３０Ｌ……格納容器左側板、３０Ｂ……格納容器底板、３０ＢＶ……格納容器下部縦板、３２……持ち手、３４、１３４、３３４……引掛け部、３５……掛止部、３６、３３６……スリット孔、３８……すり割り部、４０……ネジ孔、４２……摘み部付ネジ、４２Ａ……ネジ部、４２Ｂ……摘み部、４６……ロック部、４８……掛止部材、５０……駆動部材、５２……爪部、５４……操作部、５６……摺動面、５８……シャフト、６０……スプリング、６０Ｃ……巻装部、６０Ｕ……上腕部、６０Ｌ……下腕部、６２……ロック部孔、６４……リジェクト庫孔。
【図１】
2014112296.tif 000003
【図２】
2014112296.tif 000004
【図３】
2014112296.tif 000005
【図４】
2014112296.tif 000006
【図５】
2014112296.tif 000007
【図６】
2014112296.tif 000008
【図７】
2014112296.tif 000009
【図８】
2014112296.tif 000010
【図９】
2014112296.tif 000011
【図１０】
2014112296.tif 000012
【図１１】
2014112296.tif 000013
【図１２】
2014112296.tif 000014
【図１３】
2014112296.tif 000015
【図１４】
2014112296.tif 000016
【図１５】
2014112296.tif 000017